(57)【要約】      （修正有）【課題】顧客に対して広告主のサービスを、周知・提供・案内する広告媒体として使用できるクリーニング包装袋を提供する。【解決手段】クリーニングを終了した衣類を汚損や破損および埃等から保護し、美観を保ち運搬又は保管する為の包装袋１に広告主、広告主が提供する役務、サービス内容、商品、クーポンチケット（割引券）、ＱＲコード（登録商標）等の広告４を印刷する。【選択図】図１
0003145130.tif 000002
【実用新案登録請求の範囲】
【請求項１】
クリーニング後の衣類を汚損や破損および埃等から保護し、美観を保ち運搬時や保管時に使用するクリーニング包装袋に他業種１社から複数社の広告又はクーポンチケット、割引券、ＱＲコード等を１色から複数色のインキで印刷し、広告媒体として使用するクリーニング包装袋。
【考案の詳細な説明】
【技術分野】
【０００１】本考案に係わるクリーニング包装袋を利用した広告媒体は、クリーニング後の衣類を汚損や破損および埃等から保護し、美観を保ち運搬又は保管する包装袋を再利用して、受渡しから衣類を着用するまで顧客に対して広告主のサービスが周知、提供される広告媒体に関するものである。
【背景技術】
【０００２】従来のクリーニング包装袋には、自社の社名や広告または既製の柄が印刷されているか無地に過ぎなかったものを他業種他社の広告媒体として再利用するものである。
【考案の開示】
【考案が解決しようとする課題】
【０００３】クリーニング包装袋は、クリーニング後の衣類を入れて家庭に届けられるものである。クリーニングを終了した衣類は着用時まで包装袋に入ったまま保管され、常時目に止まりやすく、衣類を取り出す時再び手に取る物である。本考案は着用する人に対して手に取って頻繁に目に止まるクリーニング包装袋を広告媒体として再利用して、このクリーニング包装袋に広告主のある広告を印刷しておくことにより、広告効果が高い広告媒体を提供しようとするものであり、広告料によりクリーニング業における包装資材のコストダウンを図るものである。
【課題を解決するための手段】
【０００４】本考案に係わるクリーニング包装袋を利用した広告媒体は、クリーニング後の衣類を汚損や破損および埃等から保護し、美観を保ち運搬又は保管するためのものであって、効果的に広告を周知、提供するために１色から複数色のインキを使用した印刷で広告を掲載している広告媒体である。【０００５】衣類はさまざまな色の物があり、１色だけでは衣類の色と重なり広告が不鮮明となる場合が多い。その為、透明な包装袋の場合、広告印刷に背景色を印刷することにより広告がはっきりと読めるようになる。【０００６】広告主から広告料をもらい、クリーニング包装袋の製造費用に当てることにより製造コストの削減になり、クリーニング包装袋の販売単価の引き下げが可能になり、クリーニング業における包装資材のコストダウンが図れる。
【考案の効果】
【０００７】本考案の効果は、請求項１により次に記載した効果を奏するものである。【０００８】本考案により、クリーニング包装袋を利用した広告媒体は、クリーニング後顧客に手渡った衣類が入っている包装袋に印刷された広告を必ず複数回見ることになるので、高い広告効果を得る事が出来る。【０００９】本考案により、クリーニング包装袋を再利用できる。クリーニング後の衣類を取り出した後に捨てられていたものを再利用して、クリーニング包装ポリ袋を高い広告効果を得られる広告媒体として再利用することが出来る。【００１０】クリーニング包装袋を利用した広告媒体により、クリーニング業の経営安定に寄与することが出来る。クリーニング業者は広告を印刷したクリーニング包装袋を利用すると、これを広告媒体としている広告料でクリーニング包装袋を格安で得ることができる。このため、クリーニング工場のコスト削減を図れる。
【考案を実施するための最良の形態】
【００１１】クリーニング包装袋は衣類の着用時に衣類を取り出すとき、必ず手に取って見るものではあるが、衣類を取り出した後はすぐ廃棄されてしまう。本考案の技術思考は、広告主、広告主が提供する役務、サービス内容、商品、クーポンチケット、割引券、ＱＲコード等を、１色から複数色のインキを使用した印刷で広告を掲載して、クリーニング包装袋を再利用することにより広告主の広告をクリーニング利用者に効果的に目に止まるようにするものである。【００１２】広告主からの広告料をクリーニング包装袋の製造費用に充てることにより、広告印刷入りクリーニング包装袋の販売業者は格安で仕入れることが出来る。そのことにより販売業者は格安にてクリーニング業者へクリーニング包装袋を販売できる。
【実施例】添付図面は、本考案に係わるクリーニング包装袋を利用した広告媒体の実施例について図示している。図１は１枚づつ（カレンダー型に束ねてあることが多い）にあらかじめ各大きさにカットされているクリーニング包装袋の表面に広告を印刷（固定位置で印刷する場合が多い）掲載し、利用する広告媒体の正面図であり、図１−１は包装袋本体を示し、図１−２は袋中身の衣料品の色柄に広告印刷が不鮮明にならないように背景色をあらかじめ印刷しておく場合があることを示した。図１−３は広告印刷部分のみ袋中身の衣料品の色柄に広告印刷が不鮮明にならないように背景色をつけた場合を示し、図１−４は広告の内容を印刷した例を示した。図２−１は、紙管巻（ポリ袋がロール状に巻かれたもので、ミシン目が入っているものとそうでないものがある。）でクリーニング包装袋の表面に広告を印刷（連続で印刷する場合が多い）掲載し、利用する広告媒体の斜め左前方から見た本体図であり、図２−２は袋中身の衣料品の色柄に広告印刷が不鮮明にならないように背景色をあらかじめ印刷しておく場合があることを示した。図２−３は、広告印刷部分のみ袋中身の衣料品の色柄に広告印刷が不鮮明にならないように背景色をつけた場合を示し、図２−４は広告の内容を印刷した例を示した。【００１３】クリーニング後の衣類を汚損や破損、埃等から保護し、美観を保ち運搬又は保管するクリーニング包装袋は、他業種１社又は複数社の広告又はクーポンチケット、割引券、ＱＲコード等を１色から複数色のインキで印刷してなるクリーニング包装袋の広告媒体である。
【図面の簡単な説明】
【００１４】
【００１５】
【図１】１枚づつ（カレンダー型に束ねてあることが多い）にあらかじめ各大きさにカットされているクリーニング包装袋の表面に広告を印刷（固定位置で印刷または連続で印刷）掲載し、利用する広告媒体の正面図。
【図２】紙管巻（袋がロール状に巻かれたもので、ミシン目が入っているものとそうでないものがある。）でクリーニング包装袋の表面に広告を印刷（固定位置で印刷または連続で印刷）掲載し、利用する広告媒体の斜め左前方から見た本体図
【符号の説明】
【００１６】符号の説明
図１−１  １枚づつにカットされているクリーニング包装袋
図１−２  背景色
図１−３  広告情報部背景色
図１−４  広告情報表示部
図２−１  紙管巻包装袋
図２−２  背景色
図２−３  広告情報部背景色
図２−４  広告情報表示部
【００１７】
【図１】
0003145130.tif 000003
【図２】
0003145130.tif 000004
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
クリーニング後の衣類を汚損や破損および埃等から保護し、美観を保ち運搬時や保管時に使用するクリーニング包装袋に他業種１社から複数社の広告又はクーポンチケット、割引券、ＱＲコード（登録商標）等を１色から複数色のインキで印刷し、広告媒体として使用するクリーニング包装袋。
【手続補正２】
【補正対象書類名】明細書
【補正対象項目名】００１１
【補正方法】変更
【補正の内容】
【００１１】クリーニング包装袋は衣類の着用時に衣類を取り出すとき、必ず手に取って見るものではあるが、衣類を取り出した後はすぐ廃棄されてしまう。本考案の技術思考は、広告主、広告主が提供する役務、サービス内容、商品、クーポンチケット、割引券、ＱＲコード（登録商標）等を、１色から複数色のインキを使用した印刷で広告を掲載して、クリーニング包装袋を再利用することにより広告主の広告をクリーニング利用者に効果的に目に止まるようにするものである。
【手続補正３】
【補正対象書類名】明細書
【補正対象項目名】００１３
【補正方法】変更
【補正の内容】
【００１３】クリーニング後の衣類を汚損や破損、埃等から保護し、美観を保ち運搬又は保管するクリーニング包装袋は、他業種１社又は複数社の広告又はクーポンチケット、割引券、ＱＲコード（登録商標）等を１色から複数色のインキで印刷してなるクリーニング包装袋の広告媒体である。